(57)【特許請求の範囲】
【請求項１】
被取付部材に取り付けるための天井取付部を有する保持体と、
前記保持体に設けられる電源部と、
複数のＬＥＤが実装され、前記電源部と重なり合わないように配置されたＬＥＤ基板と、
穴を有し、前記ＬＥＤ基板を覆う透光性カバーと、
前記穴を覆うセンタカバーとを備え、
前記ＬＥＤ基板は、前記複数のＬＥＤが実装された面が前面側に向けられ、裏面が前記保持体の一面に固定され、
前記透光性カバーを取り付けた状態で前記センタカバーを取り外すことで、被取付部材に前記保持体の取付け又は取外しを行えるようになっていることを特徴とする照明装置。
【請求項２】
前記センタカバーは、照明装置本体に着脱可能であることを特徴とする請求項１に記載の照明装置。
【発明の詳細な説明】
【技術分野】
【０００１】
本発明は、光源と、該光源に電力を供給する電源部と、前記光源及び電源部を保持する保持体とを備える照明装置に関する。
【背景技術】
【０００２】
住宅等の室内の照明に用いられる照明装置として、従来、白熱電球、蛍光灯等の光源を備える照明装置が用いられている。近年、発光ダイオード（以下ＬＥＤという）の高輝度化に伴い、従来の光源に代えて、小型、低消費電力、長寿命等の特性を有するＬＥＤを光源として備える照明装置が種々提案されている（例えば、特許文献１参照）。
【０００３】
特許文献１に開示されたＬＥＤ照明装置は、光源であるＬＥＤと、該ＬＥＤを点灯する点灯装置とを備え、前記ＬＥＤと前記点灯装置とを略同一面内に配置してある。ＬＥＤ照明装置は、前記ＬＥＤ及び点灯装置をその一面に取付けられるベース板３０２を有しており、該ベース板３０２の他面の側の略中央には、外部電源からの給電を受ける部分として引掛刃３１１を備えた引掛シーシングキャップ３０１が設けてある（図１６参照）。そして、ＬＥＤ照明装置は、天井面に設けられた引掛シーリングボディ（図示せず）の引掛刃受け穴（図示せず）に引掛刃３１１を嵌合させることにより天井面への取付が行われるように構成してある。
【先行技術文献】
【特許文献】
【０００４】
【特許文献１】特開２００３−８６００６号公報
【発明の概要】
【発明が解決しようとする課題】
【０００５】
ところで、住宅等の室内の照明に用いられる照明装置においては特に、天井面から照明装置が大きく突設していると、美観を損ねると共に、限られた室内空間を占有してしまい、好ましくないため、照明装置を薄型化したいという要望があった。特許文献１に係る照明装置においては、点灯装置とＬＥＤとを略同一面内に配置して、ＬＥＤの光出射方向である上下方向に重なり合わないように配置してあるから、確かに、点灯装置とＬＥＤを上下方向に重なり合う配置を採用した照明装置と比較して、天井面からの突設高さを低減することができ、薄型化することができる。しかしながら、引掛シーリングキャップ３０１の引掛刃３１１がベース板３０２の他面の側（ＬＥＤ及び点灯装置が配置される一面と反対側）に突出しており、また引掛シーリングキャップとＬＥＤ又は点灯装置とが上下方向に一部が重なり合う配置となっているから、これらの分だけ上下方向の厚み、換言すると天井面からの突設高さが増してしまうという問題があった。
【０００６】
本発明は斯かる事情に鑑みてなされたものであり、薄型化することができる照明装置を提供することを目的とする。
【課題を解決するための手段】
【０００７】
本発明に係る照明装置は、被取付部材に取り付けるための天井取付部を有する保持体と、前記保持体に設けられる電源部と、複数のＬＥＤが実装され、前記電源部と重なり合わないように配置されたＬＥＤ基板と、
穴を有し、前記ＬＥＤ基板を覆う透光性カバーと、前記穴を覆うセンタカバーとを備え、前記ＬＥＤ基板は、前記複数のＬＥＤが実装された面が前面側に向けられ、裏面が前記保持体の一面に固定され、前記透光性カバーを取り付けた状態で前記センタカバーを取り外すことで、被取付部材に前記保持体の取付け又は取外しを行えるようになっている。
【０００８】
また、前記センタカバーは、照明装置本体に着脱可能であることを特徴とする。
【発明の効果】
【００１８】
本発明によれば、光源、電源部を夫々被取付部材に対して互いに重なり合わないように保持体に配することにより、被取付部材からの突設高さを低減することができ、照明装置を薄型化することができる。
【図面の簡単な説明】
【００１９】
【図１】本発明の実施の形態１に係る照明装置の模式的外観斜視図である。
【図２】実施の形態１に係る照明装置の模式的分解斜視図である。
【図３】実施の形態１に係る照明装置の模式的背面図である。
【図４】実施の形態１に係る照明装置の主要部の配置を示す模式的正面図である。
【図５】図３のV−V線による模式的断面図である。
【図６】図３のVI−VI線による模式的部分拡大断面図である。
【図７】実施の形態１に係る照明装置の制御系の構成を示すブロック図である。
【図８】実施の形態２に係る照明装置の主要部の配置を示す説明図である。
【図９】実施の形態２に係る照明装置の制御系の構成を示すブロック図である。
【図１０】実施の形態３に係る照明装置の主要部の配置を示す説明図である。
【図１１】実施の形態４に係る照明装置の主要部の配置を示す説明図である。
【図１２】実施の形態４に係る照明装置の主要部の配置を示す模式的部分断面図である。
【図１３】実施の形態４に係る照明装置の点灯状態の説明図である。
【図１４】実施の形態５に係る照明装置の主要部の配置を示す模式的部分断面図である。
【図１５】実施の形態５に係る照明装置の点灯状態の説明図である。
【図１６】従来技術に係る照明装置を背面側からみた模式的外観斜視図である。
【発明を実施するための形態】
【００２０】
以下、本発明をその実施の形態を示す図面に基づいて、天井等の被取付部材に設けられた引掛シーリングボディ等の被取付体に着脱可能に取付けられる照明装置（所謂シーリングライト）を例に、詳述する。
（実施の形態１）
図１は、本発明の実施の形態１に係る照明装置１００の模式的外観斜視図である。図２は、実施の形態１に係る照明装置１００の模式的分解斜視図である。図３は、実施の形態１に係る照明装置１００の模式的背面図である。図４は、実施の形態１に係る照明装置の主要部の配置を示す模式的正面図である。図５は、図３のV−V線による模式的断面図である。図６は、図３のVI−VI線による模式的部分拡大断面図である。
【００２１】
図において１は、照明装置本体を天井等の被取付部材に取付ける取付部としてのアダプタである。アダプタ１は、扁平な円柱形状を有しており、一端側に、被取付部材に設けられた角型の引掛シーリングボディ２００の引掛刃係合穴２０１に係合する引掛刃１１を有している。アダプタ１の周面には、径方向に進退可能な係合突起１２が複数設けてある。また、アダプタ１は、後述する電源部に接続されるコネクタ１５を有している。引掛シーリングボディ２００及びアダプタ１は、引掛刃係合穴２０１に引掛刃１１を係合させることにより、電気的、機械的に接続される。なお、引掛シーリングボディ２００及びアダプタ１は、それ自体公知であるので、詳細な説明は省略する。
【００２２】
アダプタ１により、光源及び電源部を保持する保持体であるシャーシ２が被取付部材に取付けられる。シャーシ２は、中央に円穴を有する円板状であり、アルミニウム等の金属製である。シャーシ２は、前記円穴の周囲に、該円穴に同心をなして、アダプタ１に保持される環状の天井取付部２１を有している。引掛シーリングボディ２００にアダプタ１を取付けた後、シャーシ２の円穴とアダプタ１の位置を整合させて、シャーシ２をアダプタ１の側から押し込むことにより、シャーシ２が、アダプタ１の係合突起１２により保持され、被取付部材である天井に取付けられることになる。この取付状態において、シャーシ２の略中央にアダプタ１が位置する。そして、アダプタ１は主として天井取付部２１の一面２１ａの側に配される。
【００２３】
天井取付部２１には、後述する電源基板及び制御基板を保持する基板保持部２２が天井取付部２１に連設してある。基板保持部２２は、天井取付部２１と同心をなす環状を有しており、該天井取付部２１よりも引掛シーリングボディ２００の側に突設している。
【００２４】
基板保持部２２には、環状の突条部２３が連設してある。該突条部２３は、天井取付部２１と略同一平面上にある。この突条部２３には、光源を保持する光源保持部２４が連設してある。光源保持部２４は、天井取付部２１と同心をなす環状を有しており、該天井取付部２１よりも引掛シーリングボディ２００の側に突設している。光源保持部２４の外周縁には、扁平な円筒状の周壁２５が立設してある。
【００２５】
シャーシ２の光源保持部２４には、光源としての複数の照明モジュール３が設けてある。照明モジュール３は、図４に示すように、矩形板状のＬＥＤ基板３１と、該ＬＥＤ基板３１に実装されたＬＥＤ３２と、該ＬＥＤ３２の光出射方向に設けられた拡散レンズ３３と、入力端子及び出力端子とを備えてなる。照明モジュール３は、シャーシ２の光源保持部２４の一面２４ａに周方向に略等配をなして固定してある。アダプタ１が取付けられるシャーシ２の天井取付部２１に同心をなして光源保持部２４が環状に設けてあるから、該光源保持部２４に固定された光源である照明モジュール３は取付部であるアダプタ１の周囲に環状に配されることになる。即ち、アダプタ１及び照明モジュール３はシャーシ２の一面側に、面に沿った方向に分散して配置されることになり、被取付部材と直角をなす方向、換言すると被取付部材からの突設高さ方向には重なり合わないように配置される。
【００２６】
シャーシ２の環状をなす基板保持部２２の一面２２ａには、環状の一部を切り欠いた形状、換言するとＣ字状の電源基板４が複数の基板アングル９４を介して設けてある。電源基板４には、交流電源（ＡＣ電源）から供給された電流を整流する整流回路、整流された電圧を所定の電圧に変換するトランス等の電子部品（図示せず）が実装してある。
【００２７】
基板アングル９４は、矩形板状のベース板部と、該ベース板部から直交する方向に延びる複数の腕部と、該複数の腕部の延設端に連設され、前記ベース板部と平行をなす複数の固定板部とを備えてなる。基板アングル９４は、ベース板部に設けた係合突起を基板保持部２２に設けられた係合穴に係合させるとともに、ベース板部及び基板保持部２２に設けたネジ用穴にネジを螺合することにより、基板保持部２２の一面２２ａに固定してある。
【００２８】
電源基板４は、この基板アングル９４の前記固定板部に設けられたネジ用穴にネジを螺合することにより基板アングル９４に固定され、基板保持部２２の一面２２ａに設けられる。アダプタ１が取付けられるシャーシ２の天井取付部２１に同心をなして基板保持部２２が環状に設けてあるから、該基板保持部２２に固定された電源基板４に電子部品を実装してなる電源部は取付部であるアダプタ１の周囲に環状に配されることになる。即ち、アダプタ１及び電源部はシャーシ２の一面側に、面に沿った方向に分散して配置されることになり、被取付部材と直角をなす方向、換言すると被取付部材からの突設高さ方向には重なり合わないように配置される。
【００２９】
また、基板保持部２２の一面２２ａには、円弧状の制御基板５が同様に基板アングル９４を介して設けてある。制御基板５には、制御用のマイクロコンピュータ、調光回路部品等の電子部品が実装してある。アダプタ１が取付けられるシャーシ２の天井取付部２１に同心をなして基板保持部２２が環状に設けてあるから、該基板保持部２２に固定された円弧状の制御基板５に電子部品を実装してなる制御部及び調光回路部は、アダプタ１の周囲に配されることになる。即ち、制御部及び調光回路部は、アダプタ１と被取付部材と直角をなす方向、換言すると被取付部材からの突設高さ方向には重なり合わないように配置される。
【００３０】
シャーシ２には、電源基板４を有する電源部をその内部に収容する電源収容部としての電源カバー６が設けてある。電源カバー６は、熱伝導体であり、例えば、金属製であり、放熱体を兼ねている。電源カバー６は、中央に円穴を有する円板状の固定部６１と、該固定部６１の外周縁に立設された内周壁６２と、該内周壁６２に連設され、固定部６１と平行をなす天板部６３と、該天板部６３の外周縁に連設され、内周壁６２と同心をなして対向する外周壁６４と、該外周壁６４の天板部６３の反対側に周設された縁部６５とを有してなる。この電源カバー６は、固定部６１をシャーシ２の天井取付部２１に、縁部６５をシャーシ２の突条部２３に夫々整合させて、ネジ等により固定してある。この電源カバー６のシャーシ２への取付により、電源基板４を有する電源部、及び制御基板５を有する制御部及び調光回路部がシャーシ２と電源カバー６により形成される空洞内に収容される。同時に、電源カバー６がシャーシ２に熱的に接続される。
【００３１】
電源カバー６の天板部６３には、円弧状の複数の係合穴６３ａが設けてある。また、天板部６３の外周縁部には、他の部分よりも固定部６１の側に凹んでなる環状の取付座６３ｂが形成してある。また、電源カバー６の内周壁６２の内側には、リモートコントローラ等の信号送信部からの信号を受信する信号受信部５５が設けてある。
【００３２】
また、シャーシ２には、図６に示すごとく、直径の異なる環状の複数のクッション９１，９２，９３が設けてある。また、シャーシ２には、透光性カバーを押さえる複数のカバー押え９５が光源保持部２４の外縁部に取付けてある。カバー押え９５は、光源保持部２４の一面２４ａに取付けられるベース板部と、該ベース板部から直角をなす方向に延設された２つの腕部と、該腕部の端部から前記ベース板部に平行な方向に延設された係合爪部９５ａとを有している。
【００３３】
このように照明モジュール３、電源基板４、制御基板５及び電源カバー６が取付けられたシャーシ２に、光源であるＬＥＤ３２からの光を透過する透光性カバー７が設けてある。透光性カバー７は、電源カバー６に固定される固定部７１と、該固定部７１に連設された幅広の環状部７２と、該環状部７２の外周縁から直交する方向に延設された側面部７３と、該側面部７３から環状部７２と鋭角をなす方向に延設された背面部７４と、該背面部７４に連設され、シャーシ２に係合する係合部７５とを有している。
【００３４】
透光性カバー７は、係合部７５をシャーシ２に取付けられたカバー押え９５の係合爪部９５ａに係合させて保持した状態にて、電源カバー６の天板部６３の取付座６３ｂ及び透光性カバー７の固定部７１に設けられたネジ用穴にネジを螺合することにより固定される。このように透光性カバー７、電源カバー６の外周壁６４及びシャーシ２により形成される空洞内に光源である照明モジュール３が収容されることになるから、電源部と照明モジュール３とを別室になるように分けて、照明モジュール３部分のみを密閉することが可能となる。電源カバー６の外周壁６４が光源と電源部との間を仕切る仕切枠を兼ねている。
【００３５】
以上のように組み立てられた照明装置本体をアダプタ１に取付け、アダプタ１のコネクタ１５と電源部にその一端が接続されたコネクタ４５とを接続した後、センタカバー８を照明装置本体に取付ける。センタカバー８は、緩やかに凸に湾曲した円板状を有している。センタカバー８の内側には複数の固定バネ８１が設けてある。センタカバー８は、固定バネ８１を電源カバー６の天板部６３に設けられた係合穴６３ａに係合することにより、電源カバー６に保持される。照明装置本体の被取付部材への取付け及び取外しは、このセンタカバー８を取外すことにより行うことができ、透光性カバー７等を取外す必要がないから光源部分の密閉は維持される。
【００３６】
図７は、実施の形態１に係る照明装置１００の制御系の構成を示すブロック図である。電源部４１は、アダプタ１及び引掛シーリングボディ２００を介してＡＣ電源２１０に接続される。なお、電源部４１は、電源基板４、及び該電源基板４に実装され、ＡＣ電源から供給された電流を整流する整流回路、整流された電圧を所定の電圧に変換するトランス、一定電流を供給する定電流供給回路等の電子部品を有してなり、前述したように、照明装置１００のシャーシ２の基板保持部２２に設けてある。
【００３７】
電源部４１には、同様にシャーシ２の基板保持部２２に設けられた制御基板５及び該制御基板５に実装された電子部品を有してなる調光回路部５２が接続してあり、電源部４１は、調光回路部５２に所定電圧の電力を供給する。
【００３８】
調光回路部５２には、前述した如くシャーシ２の光源保持部２４に設けられた複数の照明モジュール３が接続してある。また、調光回路部５２には、シャーシ２の基板保持部２２に設けられた制御基板５及び該制御基板５に実装された電子部品を有してなる制御部５１が接続してある。制御部５１は、内部バスにより相互に接続されたＣＰＵ及び記憶素子を備えたマイクロコンピュータであり、記憶素子に記憶された制御プログラムに従うＣＰＵの動作により照明装置の各構成部の制御を行うように構成してある。
【００３９】
制御部５１には、照明装置１００内の適宜位置に設けられた操作部５６、リモートコントローラ等の信号送信部１０１からの赤外線を受光する受光部である信号受信部５５が接続してある。操作部５６、信号送信部１０１は、例えば、点灯／消灯する操作を受け付ける電源スイッチ、明るさの設定操作を受け付けるスイッチ等を有しており、制御部５１に操作に応じた信号を与える。
【００４０】
制御部５１は、記憶素子に記憶されたプログラムに従って、信号受信部５５が受信した信号送信部１０１からの信号及び操作部５６からの信号に基づいて、調光回路部５２に制御信号を与える。
【００４１】
調光回路部５２は、スイッチング素子等を備え、制御部５１により与えられた制御信号に応じてスイッチング素子を開閉するように構成してある。このスイッチング素子の開閉動作に応じて、一定電流が照明モジュール３に供給され、照明モジュール３は所定の明るさにて点灯する。
【００４２】
以上のように構成された照明装置１００においては、取付部であるアダプタ１の周囲に電源基板４（電源基板４を備える電源部４１）が配してあり、電源基板４の周囲に照明モジュール３が配してあるから、アダプタ１、電源部４１及び照明モジュール３が被取付部材と直角をなす方向、換言すると被取付部材からの突設高さ方向には重なり合わないように配置される。この結果、被取付部材からのアダプタ１、電源部４１及び照明モジュール３の突設高さを低減することができ、照明装置１００を薄型化することができる。そして、板状をなすシャーシ２の一面側に、アダプタ１、電源部４１及び照明モジュール３が重なり合わないように配してあるから、天井等の被取付部材からの照明装置１００の突設高さを更に低減することができ、照明装置１００を更に薄型化することができる。
【００４３】
また、実施の形態１に係る照明装置１００においては、電源部４１の周りに設けられた電源カバー６の外周壁６４により、電源部４１と照明モジュール３との間が仕切られ、透光性カバー７、電源カバー６の外周壁６４及びシャーシ２により形成される空洞内に照明モジュール３が収容してある。このように電源部４１と照明モジュール３とを別室に分けて配置しているから、照明モジュール３のみを密閉することが可能となる。このように照明モジュール３と電源部４１とを電源カバー６の外周壁６４を仕切枠として別室に分けているから、例えば、照明装置１００の天井等の被取付部材への取付又は取外しをすべく、センタカバー８を取外したとき、電源部４１近傍が外部に露出した状態になるが、この場合においても、照明モジュール３部分の密閉状態を維持することが可能となる。この結果、照明モジュール３部分に虫等が侵入することを防止することができ、清掃が不要となり、使用者の利便に資する。また、密閉状態として、光源モジュール３を覆う透光性カバー７の脱着機構が不要となるから構造を簡略化することができ、コストを低減することができる。
【００４４】
また、熱伝導体の電源カバー６をシャーシ２に固定して熱的に接続してあるから、照明モジュール３、電源部４１等により発生した熱がシャーシ２に伝達され、シャーシ２に伝達された熱が、電源カバー６から照明装置１００のセンタカバー８の側に伝達されるから、照明装置１００の周囲の空気へ放散することができる。
【００４５】
そして、光源にＬＥＤ３２を用いている。ＬＥＤ３２は、小型の光源であるから、光源部分の厚みを薄くすることができ、天井等の被取付部材からの照明装置の突設高さを低減することができ、照明装置を薄型化することができる。また、蛍光管と異なり、ＬＥＤ３２を用いることにより、透光性カバー７の環状部７２を平らにすることができ、光源部分の厚みを薄くすることができる。そして、拡散レンズ３３をＬＥＤ３２の光出射方向に設けているから、ＬＥＤ３２からの光は、拡散レンズ３３によって広範囲に拡散することができ、透光性カバー７とＬＥＤ３２との間隔を小さくしても、均一な発光が可能となる。従って、光源にＬＥＤ３２を用いることにより、均一な発光を確保しつつ、照明装置１００を薄型化することが可能となる。また、光源の形状が浮き出ることなく、均一な発光をさせることができるから、デザイン性の良い照明装置１００を提供することができる。
【００４６】
なお、本実施の形態においては、照明モジュール３と電源部４１とを仕切る仕切枠を電源カバー６が兼ねているが、これに限定されず、仕切枠を電源カバーとは別に設けてもよい。
（実施の形態２）
図８は、実施の形態２に係る照明装置１１０の主要部の配置を示す説明図である。なお、図８においては、主要部の配置を簡略化して記載している。図９は、実施の形態２に係る照明装置１１０の制御系の構成を示すブロック図である。実施の形態２に係る照明装置１１０においては、照明モジュール３に加えて、複数の常夜灯モジュール３５を備えている。常夜灯モジュール３５は、矩形板状をなす基板３６と、該基板３６に実装された常夜灯ＬＥＤ３７と、該常夜灯ＬＥＤ３７に一定電流を供給する定電流ＩＣ３８とを備えてなる。この常夜灯モジュール３５は、図８に示すように、シャーシ２の一面側の外周縁部に周方向に略３等配をなして取付けてある。そして、常夜灯モジュール３５は、図９に示すように、調光回路部５２に接続してある。調光回路部５２は、制御部５１により与えられた制御信号に応じて、一定電流が常夜灯モジュール３５に供給される。その他の構成は、図４及び図７に示す実施の形態１と同様であるため、対応する構成部材に図４及び７と同一の参照符号を付して、その構成の詳細な説明を省略する。
【００４７】
本実施の形態に係る照明装置１１０においては、照明モジュール３と常夜灯モジュール３５とを別体に設けて、別途配置してある。常夜灯モジュール３５を照明モジュール３と別体に設けているから、常夜灯モジュール３５の位置及び／又は数を変えた照明装置を提供することが容易となる。即ち、例えば、購入時に使用者の好みを聞いて、照明モジュール３の配置を変更することなく、常夜灯モジュール３５の位置及び／又は数を使用者の好みになるように施工業者により設置するようにすることが可能となる。
【００４８】
なお、本実施の形態の照明装置１１０のように、アダプタ１や電源部４１を照明装置の中央部に配置し、それらの周囲に仕切枠を挟んで常夜灯モジュールを設けているような場合において、常夜灯モジュールが１つである或いは複数の常夜灯モジュールが偏った位置に集中して設けられていると、常夜灯モジュールからの光が電源回路や仕切枠等によって遮られてしまい、室内の一部しか照明できないという問題がある。特に常夜灯の光源としてＬＥＤを用いた場合には、指向性が強いので、常夜灯モジュールからの光が十分に拡散されず、上記問題が顕著なものであった。
【００４９】
しかし、本実施の形態では、３つの常夜灯モジュールを周方向に略３等配をなして取付けていることによって、たとえ個々の常夜灯モジュールからの光が電源回路や仕切枠等で遮られたとしても、複数の常夜灯モジュールで室内全体を照明することが可能である。なお、常夜灯モジュールは３つの限られず、照明装置の大きさや形状に応じて、複数個の常夜灯モジュールをアダプタや電源部との仕切枠の周囲に等間隔にバランス良く配置させることによって、前記効果を得ることは可能となる。
【００５０】
また、各常夜灯モジュール３５に定電流ＩＣ３８を設けているから、常夜灯ＬＥＤを好みに応じて電球色、アンバー色のＬＥＤに変更したり、常夜灯モジュール３５当たりの常夜灯ＬＥＤの数を変更したりした場合にも、各常夜灯ＬＥＤに所定電流を供給することができるから、使用者の好みに応じた照明を提供することが可能となる。また、常夜灯モジュール３５の明るさを調光回路部５２により調節可能なように構成することも可能である。
（実施の形態３）
図１０は、実施の形態３に係る照明装置１２０の主要部の配置を示す説明図である。実施の形態３に係る照明装置１２０においては、常夜灯モジュール３５は、図１０に示すように、シャーシ２の一面側の外周縁部の周方向の所定範囲に偏らせて配置してある。その他の構成は、図８に示す実施の形態２と同様であるため、対応する構成部材に図８と同一の参照符号を付して、その構成の詳細な説明を省略する。
【００５１】
実施の形態３に係る照明装置１２０は、実施の形態２に係る照明装置１１０と常夜灯モジュール３５の配置を異ならせた例である。このように、使用者の好みにより、常夜灯モジュール３５を自由に配置することができる。
（実施の形態４）
図１１は、実施の形態４に係る照明装置１３０の主要部の配置を示す説明図である。図１２は、実施の形態４に係る照明装置１３０の主要部の配置を示す模式的部分断面図である。なお、図１２においては、主要部の配置を簡略化して記載している。図１３は、実施の形態４に係る照明装置１３０の点灯状態の説明図である。実施の形態４に係る照明装置１３０において、常夜灯モジュール３５は、図１１及び図１２に示すように、電源カバー６の天板部６３に周方向に略３等配をなして取付けてある。なお、センタカバー８ａは、透光性カバー７と同様の透光性の材料によって形成してある。その他の構成は、図４及び図５に示す実施の形態１と同様であるため、対応する構成部材に図４及び図５と同一の参照符号を付して、その構成の詳細な説明を省略する。
【００５２】
実施の形態４に係る照明装置１３０は、照明モジュール３と常夜灯モジュール３５の配置をシャーシ２の光源保持部２４と電源カバー６とに分けて配置している。この結果、通常の生活時間帯に生活空間を明るく照らすべく照明する主照明の際に、照明モジュール３を点灯したときに、図１３に示すように、透光性カバー７の部分が明るくなる。一方、夜間等に足元を薄明るく照らすべく照明する常夜灯照明の際に、常夜灯モジュール３５を点灯したときには、図１２に示すように、常夜灯ＬＥＤ３７からの光はセンタカバー８ａを透過するから、図１３に示すように、センタカバー８ａの部分が明るくなる。このように、主照明と常夜灯照明の場合に、発光部分を変えることができる。
（実施の形態５）
図１４は、実施の形態５に係る照明装置１４０の主要部の配置を示す模式的部分断面図である。図１５は、実施の形態５に係る照明装置１４０の点灯状態の説明図である。実施の形態５に係る照明装置１４０においては、センタカバー８ｂの材料を不透光性の樹脂製とし、センタカバー８ｂの周壁部に周方向に略等配をなして複数の格子穴８５を設けている。その他の構成は、図１２及び図１３に示す実施の形態４と同様であるため、対応する構成部材に図１２及び図１３と同一の参照符号を付して、その構成の詳細な説明を省略する。
【００５３】
実施の形態５に係る照明装置１４０は、センタカバー８ｂに格子穴８５を設けて、図１４及び図１５に示すように、格子穴８５から常夜灯モジュール３５の常夜灯ＬＥＤ３７からの光が出射するようにしてある。この結果、照明装置１４０の主照明の光出射方向ではく、主照明の照明モジュール３の光出射方向に略直交する方向、側方に常夜灯モジュール３５からの光が出射することになる。例えば、照明装置１４０を天井に設置した場合、常夜灯ＬＥＤ３７の光により、天井及び壁が照らされることなる。よって、常夜灯の光は柔らかい間接照明として提供することができる。また、センタカバー８ｂに格子穴８５を設けているから、電源部４１等により発生した熱を照明装置１４０の外部の空気に放散することが可能となる。
【００５４】
なお、以上の実施の形態２乃至５に係る照明装置においては、常夜灯モジュール３５の数を３つとしているが、３つに限定されず、１つでもよいし、２つまたは４以上であってもよい。即ち、使用者の好みに応じて選択されればよい。
【００５５】
また、以上の実施の形態においては、電源カバー６を熱良導体の金属製としていたが、電源カバーの材料はこれに限定されず、透光性カバー７と同様に、透光性の樹脂製としてもよい。この場合、センタカバーも同様に、透光性の樹脂製とする。この結果、照明装置の中央部に新たにＬＥＤを設けることなく、照明装置の中央部を光らせることが可能となる。また、センタカバーとして導光板を採用することにより、照明装置の中央付近を均一に発光させることが可能となる。この結果、照明装置の中央部が暗くなっていることによる違和感、不快感を使用者に与えずにすむ。
【００５６】
また、以上の実施の形態においては、透光性カバー７を一体形成しているが、これに限定されない。例えば、透光性カバーの環状部７２は、乳白色の透光性の樹脂とし、側面部７３及び背面部７４は、透明な透光性の樹脂にする。これにより、被取付部材である天井を明るく照明することが可能となる。
【００５７】
また、以上の実施の形態においては、光源としてＬＥＤを用いているが、これに限定されず、ＥＬ（Ｅｌｅｃｔｒｏ  Ｌｕｍｉｎｅｓｃｅｎｃｅ）等を用いてもよい。
【００５８】
また、以上の実施の形態においては、天井等の被取付部材に設けられた引掛シーリングボディ等の被取付体に着脱可能に取付けられる照明装置を例に説明したが、これに限定されず、他のタイプの照明装置にも適用可能である。
【００５９】
さらに、本発明は、その他、特許請求の範囲に記載した事項の範囲内において種々変更した形態にて実施することが可能であることは言うまでもない。
【符号の説明】
【００６０】
１  アダプタ（取付部）
２  シャーシ（保持体）
３  照明モジュール（光源）
３２  ＬＥＤ
４  電源基板
４１  電源部
５  制御基板
６  電源カバー（カバー）
６４  外周壁（仕切枠）
７  透光性カバー
【図１】
0005521100.tif 000002
【図２】
0005521100.tif 000003
【図３】
0005521100.tif 000004
【図４】
0005521100.tif 000005
【図５】
0005521100.tif 000006
【図６】
0005521100.tif 000007
【図７】
0005521100.tif 000008
【図８】
0005521100.tif 000009
【図９】
0005521100.tif 000010
【図１０】
0005521100.tif 000011
【図１１】
0005521100.tif 000012
【図１２】
0005521100.tif 000013
【図１３】
0005521100.tif 000014
【図１４】
0005521100.tif 000015
【図１５】
0005521100.tif 000016
【図１６】
0005521100.tif 000017